(57)【要約】【課題】  複雑なユーザ操作を要することなく、複数のコンテンツ再生装置が同時にコンテンツを再生することなく、かつ、複数のコンテンツ再生装置が順番にコンテンツを再生する。【解決手段】  携帯機器１Ａは、曲ファイルを再生し終えるとき、再生順テーブルを参照し、次に曲ファイルを再生すべき携帯機器１Ｃを特定し、特定した携帯機器１Ｃに再生指示を送信する。携帯機器１Ｃは再生指示に応じて曲ファイルの再生を開始する。従って、再生順テーブルに曲ファイルを再生する携帯機器の順番を管理させることによって、ユーザ操作を要することなく、自動的に、携帯機器１Ａが曲ファイルの再生を停止した後に、他の携帯機器１Ｃが曲ファイルの再生を開始することができる。【選択図】図６
2010244619.tif 000002
【特許請求の範囲】
【請求項１】
複数のコンテンツ再生装置を含むコンテンツ再生システムにおけるコンテンツ再生装置であって、
再生指示に応じてコンテンツを再生する再生手段と、
前記コンテンツ再生システムに含まれる前記各コンテンツ再生装置の再生順序を管理する順序管理手段と、
前記再生手段がコンテンツを再生し終える際に、前記順序管理手段の管理内容に基づいて次にコンテンツを再生すべきコンテンツ再生装置を特定する特定手段と、
前記特定手段によって特定したコンテンツ再生装置に再生指示を送信する再生指示送信手段とを備える、コンテンツ再生装置。
【請求項２】
前記コンテンツ再生システムに含まれる前記各コンテンツ再生装置の動作状態を管理する状態管理手段と、
ユーザ操作に応じて再生指示が入力された際に、前記状態管理手段の管理内容に基づいて、コンテンツを再生中である前記他のコンテンツ再生装置が存在するか否かを判断する判断手段と、
コンテンツを再生中である前記他のコンテンツ再生装置が存在すると判断された場合に、コンテンツを再生中である前記他のコンテンツ再生装置に停止指示を送信する停止指示送信手段と、
停止指示を受信した場合に、コンテンツの再生を停止する停止手段とをさらに備える、請求項１に記載のコンテンツ再生装置。
【請求項３】
前記再生指示送信手段が、前記再生手段がコンテンツを再生し終える所定時間前に、前記特定手段によって特定したコンテンツ再生装置に再生準備指示を送信し、
前記再生準備指示を受けた場合に、再生準備状態に移行する再生準備手段をさらに備え、
前記再生指示送信手段が、前記再生手段がコンテンツを再生し終えたときに、前記特定手段によって特定したコンテンツ再生装置に再生指示を送信する、請求項１または２に記載のコンテンツ再生装置。
【請求項４】
請求項１〜３のいずれかに記載のコンテンツ再生装置の各手段をコンピュータに実行させる、コンテンツ再生プログラム。
【発明の詳細な説明】
【技術分野】
【０００１】
本発明は、複数のコンテンツ再生装置を含むコンテンツ再生システムに関する。
【背景技術】
【０００２】
フラッシュメモリ等の記憶媒体を備え、フラッシュメモリに記録されている複数のコンテンツ（例えば曲ファイル）の中から選択された曲ファイルを再生する携帯機器が普及してきている。携帯機器は、ＦＭトランスミッタを備え、再生した曲ファイルの音声信号をＦＭ信号に変調して送信する。ＦＭ受信機内蔵のアンプ装置は、このＦＭ信号を受信して復調し、音楽信号を増幅してスピーカーから音声を再生する。例えば、車内等の環境下において、１つのＦＭ受信機内蔵のアンプ装置（カーオーディオ等）に対して、複数のユーザがそれぞれ携帯機器を所有するために複数の携帯機器１Ａ〜１Ｃが存在する場合、各携帯機器が同時にＦＭトランスミッタを使用して音楽を再生すると、ＦＭ受信機内蔵のアンプ装置は、複数のＦＭ信号を受信してしまい、正常に音楽信号を再生することができず、ノイズが再生されてしまう。
【０００３】
この問題を解決するために、ユーザ操作によって、１つの携帯機器を再生状態にし、他の携帯機器を停止状態にしておく必要がある。例えば、携帯機器１Ａに記録されている曲ファイルを再生したい場合、ユーザ操作によって、携帯機器１Ａのみを再生状態に操作し、他の携帯機器１Ｂ，１Ｃを停止状態に操作する。次に、携帯機器１Ａの曲ファイルに代えて携帯機器１Ｂの曲ファイルを再生したい場合、ユーザ操作によって、携帯機器１Ａを停止状態に操作した後、携帯機器１Ｂを再生状態に操作する。このように、再生する曲ファイルを他の携帯機器に記録されている記録ファイルに変更する際に、複数の携帯機器をユーザ操作によって操作する必要があり、その操作が非常に煩雑である。
【先行技術文献】
【特許文献】
【０００４】
【特許文献１】特開２００７−５８９４７号公報
【発明の概要】
【発明が解決しようとする課題】
【０００５】
本発明は上記従来の課題を解決するためになされたものであり、その目的は、複雑なユーザ操作を要することなく、複数のコンテンツ再生装置が同時にコンテンツを再生することなく、かつ、複数のコンテンツ再生装置が順番にコンテンツを再生することができるコンテンツ再生システムを提供することである。
【課題を解決するための手段】
【０００６】
本発明の好ましい実施形態によるコンテンツ再生装置は、複数のコンテンツ再生装置を含むコンテンツ再生システムにおけるコンテンツ再生装置であって、再生指示に応じてコンテンツを再生する再生手段と、前記コンテンツ再生システムに含まれる前記各コンテンツ再生装置の再生順序を管理する順序管理手段と、前記再生手段がコンテンツを再生し終える際に、前記順序管理手段の管理内容に基づいて次にコンテンツを再生すべきコンテンツ再生装置を特定する特定手段と、前記特定手段によって特定したコンテンツ再生装置に再生指示を送信する再生指示送信手段とを備える。
【０００７】
ユーザ操作によってコンテンツ再生装置１Ａに再生開始指示が入力されると、コンテンツ再生装置１Ａがコンテンツの再生を開始する。コンテンツ再生装置１Ａは、コンテンツを再生し終えるとき、順序管理手段を参照し、次にコンテンツを再生すべきコンテンツ再生装置１Ｃを特定し、特定したコンテンツ再生装置１Ｃに再生指示を送信する。コンテンツ再生装置１Ｃは再生指示に応じてコンテンツの再生を開始する。従って、順序管理手段にコンテンツを再生するコンテンツ再生装置の順番を管理させることによって、ユーザ操作を要することなく、コンテンツ再生装置１Ａがコンテンツの再生を停止し、他のコンテンツ再生装置１Ｃがコンテンツの再生を開始することができる。また、コンテンツ再生装置１Ｃはコンテンツ再生装置１Ａの再生が終了した後に再生開始するので、複数のコンテンツ再生装置が同時にコンテンツを再生することを防止できる。
【０００８】
好ましい実施形態においては、前記コンテンツ再生装置が、前記コンテンツ再生システムに含まれる前記各コンテンツ再生装置の動作状態を管理する状態管理手段と、ユーザ操作に応じて再生指示が入力された際に、前記状態管理手段の管理内容に基づいてコンテンツを再生中である前記他のコンテンツ再生装置が存在するか否かを判断する判断手段と、コンテンツを再生中である前記他のコンテンツ再生装置が存在すると判断された場合に、コンテンツを再生中である前記他のコンテンツ再生装置に停止指示を送信する停止指示送信手段と、停止指示を受信した場合に、コンテンツの再生を停止する停止手段とをさらに備える。
【０００９】
ユーザ操作によって、停止中のコンテンツ再生装置１Ｂに再生開始指示が入力される場合、コンテンツ再生装置１Ｂは、状態管理手段を参照して、現在再生中のコンテンツ再生装置１Ｃを特定する。コンテンツ再生装置１Ｂは、特定したコンテンツ再生装置１Ｃに停止指示を送信し、コンテンツ再生装置１Ｃは停止指示に応じてコンテンツの再生を停止する。従って、順序管理手段の順番にコンテンツ再生装置がコンテンツを再生している際に、ユーザ操作によって停止中のコンテンツ再生装置に再生開始指示が入力されると、再生中のコンテンツ再生装置がコンテンツの再生を停止するので、同時に複数のコンテンツ再生装置がコンテンツを再生することが防止される。
【００１０】
好ましい実施形態においては、前記再生指示送信手段が、前記再生手段がコンテンツを再生し終える所定時間前に、前記特定手段によって特定したコンテンツ再生装置に再生準備指示を送信し、前記再生準備指示を受けた場合に、再生準備状態に移行する再生準備手段をさらに備え、前記再生指示送信手段が、前記再生手段がコンテンツを再生し終えたときに、前記特定手段によって特定したコンテンツ再生装置に再生指示を送信する。
【００１１】
コンテンツ再生装置１Ａがコンテンツを再生し終える所定時間前に、コンテンツ再生装置１Ａは次に再生すべきコンテンツ再生装置１Ｃに再生準備指示を送信し、コンテンツ再生装置１Ｃは再生準備指示に応じて再生準備状態になる。従って、コンテンツ再生装置１Ａがコンテンツを再生し終えたときに、コンテンツ再生装置１Ｃは再生指示に応じて直ぐにコンテンツを再生することができる。
【発明の効果】
【００１２】
複雑なユーザ操作を要することなく、複数のコンテンツ再生装置が同時にコンテンツを再生することなく、かつ、複数のコンテンツ再生装置が順番にコンテンツを再生することができる。
【図面の簡単な説明】
【００１３】
【図１】本発明の好ましい実施形態によるコンテンツ再生システムを示すブロック図である。
【図２】機器テーブルを示す図である。
【図３】再生順テーブルを示す図である。
【図４】動作状態一覧を示す図である。
【図５】状態管理テーブルを示す図である。
【図６】携帯機器１Ａ〜１Ｃの動作を示すシーケンス図である。
【図７】携帯機器１Ａ〜１Ｃの制御部２の処理を示すフローチャートである。
【図８】携帯機器１Ａ〜１Ｃの制御部２の処理を示すフローチャートである。
【図９】携帯機器１Ａ〜１Ｃの制御部２の処理を示すフローチャートである。
【発明を実施するための形態】
【００１４】
以下、本発明の好ましい実施形態について、図面を参照して具体的に説明するが、本発明はこれらの実施形態には限定されない。
【００１５】
図１は、本発明の好ましい実施形態によるコンテンツ再生システムを示すブロック図である。コンテンツ再生システムは、例えばカーオーディオ等のＦＭ受信機内蔵のアンプ装置１１と、複数の携帯機器（ＭＰ３プレーヤ又は携帯電話機等のコンテンツ再生装置）１Ａ〜１Ｃとを備える。コンテンツは、映像データ、曲（音楽）データ、又は、静止画データ等の総称であるが、本例では曲ファイルである。携帯機器１Ａ〜１Ｃは、内蔵するフラッシュメモリに記録されている曲ファイルを再生し、ＦＭトランスミッタでＦＭ信号に変調して送信する。アンプ装置１１は、ＦＭ信号を受信して、音楽信号に復調し、増幅して、接続されているスピーカーから音声を再生する。
【００１６】
［携帯機器１Ａ〜１Ｃの構成］
携帯機器１Ａ（１Ｂ，１Ｃも同様）は、制御部２、ＲＡＭ３、ＲＯＭ４、フラッシュメモリやＨＤＤ等のコンテンツ記憶部５、再生部６、ＦＭトランスミッタ７、通信部８、表示部９、及び、操作部１０を備える。これらは、バスを介して互いに接続されている。
【００１７】
フラッシュメモリ５には複数の曲ファイルが記録されている。フラッシュメモリ５に記録されている曲ファイルは、制御部２の指示によって読み出され、再生部６によって再生される。
【００１８】
フラッシュメモリ５には、図２に示す機器テーブルが格納されている。機器テーブルは、相互に通信可能であり、順番に曲ファイルを再生する複数の携帯機器１Ａ〜１Ｃの情報を管理するテーブルである。機器テーブルは、通し番号である登録番号に対応付けて、相互に通信可能な携帯機器の通信先番号が登録されている。通信先番号は、通信方式に対応して任意の番号が採用される。ここでは、携帯機器１Ａが「0xAA」であり、携帯機器１Ｂが「0xBB」であり、携帯機器１Ｃが「0xCC」である。他の携帯機器の通信先番号は、事前に通信部８を介して他の携帯機器から取得され、機器テーブルに登録されている。通信先番号は、例えば降順等の所定の順番でソートされているので、全ての携帯機器１Ａ〜１Ｃには同じ機器テーブルが登録されている。
【００１９】
フラッシュメモリ５には、図３に示す再生順テーブルが格納されている。再生順テーブルは、携帯機器１Ａ〜１Ｃの再生順序を管理するテーブルである。図３の例では、携帯機器１Ｃ、携帯機器１Ｂ、携帯機器１Ａ、携帯機器１Ｃ、・・の順番に曲ファイルを再生する。各携帯機器１Ａ〜１Ｃは、１曲ずつ順番に曲ファイルを再生してもよく、２曲ずつ順番に曲ファイルを再生してもよい。携帯機器１Ａ〜１Ｃの再生順番は、例えば、携帯機器１Ａの表示部９に表示される画面においてユーザ操作によって設定され、携帯機器１Ａから他の携帯機器１Ｂ，１Ｃに再生順テーブルの登録内容が通信部８を介して送信される。携帯機器１Ｂ，１Ｃは、取得した再生順テーブルの内容を登録する。従って、携帯機器１Ａ〜１Ｃで登録されている再生順序は全て同じである。
【００２０】
フラッシュメモリ５には、図４に示す動作状態一覧が格納されている。動作状態一覧は、携帯機器１Ａが採りうる動作状態とそのコードとを管理するリストである。動作状態として、再生状態、停止状態、一時停止状態、早送り状態、早戻し状態等が存在する。
【００２１】
フラッシュメモリ５には、図５に示す状態管理テーブルが格納されている。状態管理テーブルは、携帯機器１Ａ〜１Ｃの動作状態を管理するテーブルである。携帯機器１Ａ〜１Ｃの動作状態は、通信部８を介して相互に送受信され、状態管理テーブルに登録される。図５では、携帯機器１Ａが再生状態であり、携帯機器１Ｂ，１Ｃが停止状態であることを示す。
【００２２】
図１に戻り、制御部２は、携帯機器１Ａ全体を制御するものであり、ＲＯＭ４またはフラッシュメモリ５に格納された携帯機器１の動作プログラムをＲＡＭ３内に読み出して実行することにより、後述する各処理を実行する。
【００２３】
制御部２は、ユーザ操作によって再生指示が入力されると、再生部６にフラッシュメモリ６から曲ファイルを読み出して再生させる。再生部６が曲ファイルを再生し終えるとき、制御部２は、再生順テーブルを参照して自身の次に曲ファイルを再生すべき携帯機器１を特定する。例えば、携帯機器１Ａの次に再生する携帯機器は、携帯機器１Ｃである。制御部２は、特定した携帯機器１Ｃに通信部８を介して再生指示を送信する。再生指示を受信した携帯機器１Ｃは、再生指示に応答して曲ファイルを再生開始する。
【００２４】
好ましくは、制御部２は、再生部６が曲ファイルを再生し終える所定時間前になると、再生順テーブルに基づいて特定した携帯機器１Ｃに再生準備指示を送信し、その後、再生部６が曲ファイルの再生を終了したときに、停止状態であることを示す動作状態通知を携帯機器１Ｃに送信する。このとき、携帯機器１Ｃは、再生準備指示に応答して再生準備状態になり、停止状態であることを示す動作状態通知に応答して、再生を開始する。従って、上記の所定時間を携帯機器１Ｃが再生準備に必要な時間に設定しておくことにより、携帯機器１Ａが再生を終了した後すぐに、携帯機器１Ｃが再生開始することができる。
【００２５】
再生部６は、フラッシュメモリ５から読み出された曲ファイルを再生（例えば、デコード、Ｄ／Ａ変換等）する。再生部６は、再生した音楽信号をＦＭトランスミッタ７に供給する。ＦＭトランスミッタ７は、再生部６が再生した曲ファイルの音楽信号をＦＭ信号に変調し、送信する。
【００２６】
通信部８は、他の携帯機器１Ｂ，１Ｃとの間で、後述する動作状態通知や各種指示等を送受信するものであり、インターネット、無線ＬＡＮ、ＵＳＢ、ＩＥＥＥ１３９４等の任意の通信方式が採用され得る。
【００２７】
表示部９は、ＬＣＤ（液晶ディスプレイ）やＦＬ管等であり、制御部２の指示に基づいて、ユーザが各設定を実行するための操作画面、曲ファイルの検索画面、又は、再生中の曲ファイルのコンテンツ情報等を表示する。操作部１０は、ユーザからの指示を受け付けて制御部２に送信するものであり、操作ボタン等である。
【００２８】
［アンプ装置１１の構成］
アンプ装置１１は、制御部１２、ＲＡＭ１３、ＲＯＭ１４、ＦＭ受信部１５、増幅部１６、表示部１７、及び、操作部１８を備える。これらは、バスを介して互いに接続されている。増幅部１６にはスピーカー２０が接続されている。
【００２９】
制御部１２は、ＲＯＭ１４に格納されたアンプ装置１１の動作プログラムをＲＡＭ１３に読み出して実行することにより、アンプ装置１１の各部を制御する。制御部１２は、ＦＭ受信部１５が受信するＦＭ信号の周波数をユーザ操作に応じて設定する。ＦＭ受信部１５は、携帯機器１Ａ〜１ＣのＦＭトランスミッタ７から送信されるＦＭ信号を受信し、復調し、音声信号を増幅部１６に供給する。増幅部１６は、受信した音声信号を増幅して、スピーカー２０から音声を再生する。
【００３０】
以上の構成を有するコンテンツ再生システムについて、その動作を説明する。図６は、携帯機器１Ａ〜１Ｃの動作の一例を示すシーケンス図である。図７〜図９は、携帯機器１Ａ〜１Ｃの制御部２の処理を示すフローチャートである。本例では、ユーザ操作によって携帯機器１Ａに再生開始指示が入力され、携帯機器１Ａから再生を開始する場合を説明する。
【００３１】
携帯機器１Ａは、ユーザ操作によって再生開始指示が入力されたか否かを判断する（図７のＳ１）。再生開始指示が入力された場合（Ｓ１でＹＥＳ、図６のＳ６０１）、携帯機器１Ａは、他の携帯機器１Ｂ，１Ｃの動作状態を既に取得して、状態管理テーブルに登録済であるか否かを判断する（図７のＳ２）。ここでは、未だ動作状態を取得していないので（Ｓ２でＮＯ）、他の携帯機器１Ｂ，１Ｃに動作状態の問い合わせを送信する（図７のＳ３、図６のＳ６０２）。携帯機器１Ｂ，１Ｃは、動作状態の問い合わせを受信したか否かを判断しており（図８のＳ２１）、動作状態の問い合わせを受信すると（Ｓ２１でＹＥＳ）、動作状態を携帯機器１Ａに返信する（図８のＳ２５、図６のＳ６０３，Ｓ６０４）。ここで送信される動作状態通知の内容は停止状態である。携帯機器１Ａは、他の携帯機器１Ｂ，１Ｃから動作状態を受信したか否かを判断しており（図７のＳ４）、受信したとき（Ｓ４でＹＥＳ）、受信した動作状態通知（停止状態）を状態管理テーブルに登録する（図７のＳ５、図６のＳ６０５）。
【００３２】
携帯機器１Ａは、状態管理テーブルを参照して、他の携帯機器１Ｂ，１Ｃの中に動作状態が再生状態である携帯機器が存在するか否かを判断する（図７のＳ６）。ここでは、他の携帯機器１Ｂ，１Ｃの動作状態は停止状態であるので（Ｓ６でＮＯ）、携帯機器１Ａは曲ファイルを再生開始する（図７のＳ１０、図６のＳ６０６）。なお、曲ファイルはユーザ操作によって選択された曲ファイルが再生されてもよく、プレイリストから自動的に選択された曲ファイルが再生されてもよい。
【００３３】
携帯機器１Ａは、動作状態通知（再生状態）を他の携帯機器１Ｂ，１Ｃに送信する（図７のＳ１１、図６のＳ６０７，Ｓ６０９）。携帯機器１Ｂ，１Ｃは、動作状態通知を受信したか否かを判断しており（図８のＳ２２）、受信すると（Ｓ２２でＹＥＳ）、受信した動作状態通知（再生状態）を状態管理テーブルに登録して更新する（図８のＳ２６、図６のＳ６０８，Ｓ６１０）。携帯機器１Ｂ，１Ｃは、受信した携帯機器１Ａの動作状態が停止状態であるか否かを判断し（図８のＳ２７）、停止状態ではないと判断する（Ｓ２７でＮＯ）。
【００３４】
携帯機器１Ａは、曲ファイルを再生終了する所定時間（例えば２秒）前であるか否かを判断する（図９のＳ４１）。再生終了する所定時間前になると（Ｓ４１でＹＥＳ、図６のＳ６１１）、携帯機器１Ａは、再生順テーブルを参照して、携帯機器１Ａの次に曲ファイルを再生すべき携帯機器１Ｂ又は１Ｃを特定する（図９のＳ４２、図６のＳ６１２）。ここでは、携帯機器１Ａの次に曲ファイルを再生すべき携帯機器として、携帯機器１Ｃが特定される。
【００３５】
携帯機器１Ａは、特定した携帯機器１Ｃに再生準備指示を送信する（図９のＳ４３、図６のＳ６１３）。携帯機器１Ｂ，１Ｃは、再生準備指示を受信したか否かを判断している（図８のＳ２３）。携帯機器１Ｂは、再生準備指示を受信しないが（Ｓ２３でＮＯ）、携帯機器１Ｃは、再生準備指示を受信し（Ｓ２３でＹＥＳ）、再生準備状態に移行する（図８のＳ３１、図６のＳ６１４）。再生準備状態とは、曲ファイルを選択して開いて、直ぐに再生できる状態にしておくことである。
【００３６】
携帯機器１Ａは、曲ファイルを再生し終えたか否かを判断する（図９のＳ４４）。再生し終えた場合（Ｓ４４でＹＥＳ、図６のＳ６１５）、携帯機器１Ａは、動作状態通知（停止状態）を携帯機器１Ｂ，１Ｃに送信する（図９のＳ４５、図６のＳ６１６，Ｓ６１７）。携帯機器１Ａは、自身の状態管理テーブルの自身の動作状態を停止状態に更新する。携帯機器１Ｂ，１Ｃは、動作状態通知を受信すると（図８のＳ２２でＹＥＳ）、状態管理テーブルに携帯機器１の動作状態通知（停止状態）を登録して更新する（図８のＳ２６）。携帯機器１Ｂ，１Ｃは、受信した動作状態通知の内容が停止状態であると判断する（図８のＳ２７でＹＥＳ）。
【００３７】
携帯機器１Ｂ，１Ｃは自身が再生準備状態であるか否かを判断する（図８のＳ２８）。携帯機器１Ｂは、再生準備状態ではないと判断する（Ｓ２８でＮＯ）。携帯機器１Ｃは、再生準備状態であると判断し（Ｓ２８でＹＥＳ）、曲ファイルを再生開始する（図８のＳ２９、図６のＳ６１８）。従って、動作状態通知（停止状態）は、再生準備状態である携帯機器１Ｃにとっては再生指示の役割を有する。携帯機器１Ｃは、携帯機器１Ａ，１Ｂに動作状態通知（再生状態）を送信する（図８のＳ３０）。携帯機器１Ａ，１Ｂは、動作状態を受信して（図８のＳ２２でＹＥＳ）、状態管理テーブルを更新する（図８のＳ２６、Ｓ２７でＮＯ）。
【００３８】
以上のように、携帯機器１Ａが１つの曲ファイルの再生を終了すると、携帯機器１Ａが再生を停止し、再生順テーブルに登録されている順番に従って、次の携帯機器１Ｃが自動的に曲ファイルの再生を開始する。従って、ユーザ操作によって携帯機器１Ａを停止状態に操作し、かつ、携帯機器１Ｃを再生状態に操作する必要がない。同様に、携帯機器１Ｃが１つの曲ファイルを再生し終えると、次の携帯機器１Ｂが曲ファイルの再生を開始する。また、携帯機器１Ｂが１つの曲ファイルを再生し終えると、次の携帯機器１Ａが曲ファイルの再生を開始する。
【００３９】
次に、携帯機器１Ｃが曲ファイルを再生している際に、ユーザ操作によって携帯機器１Ｂに再生開始指示が入力される場合を説明する。携帯機器１Ｂは、ユーザ操作によって再生開始指示を受信する（図７のＳ１でＹＥＳ、図６のＳ６１９）。携帯機器２は、携帯機器１Ａ，１Ｃから動作状態を取得して状態管理テーブルに登録済であると判断する（図７のＳ２でＹＥＳ）。携帯機器１Ｂは、動作状態が再生状態である携帯機器が存在するか否かを判断する（図７のＳ６、図６のＳ６２０）。ここでは、携帯機器１Ｃの動作状態が再生状態であるので（Ｓ６でＹＥＳ）、携帯機器１Ｂは、動作状態が再生状態である携帯機器１Ｃに停止指示を送信する（図７のＳ７、図６のＳ６２１）。携帯機器１Ｃは、停止指示を受信したか否かを判断しており（図８のＳ２４）、停止指示を受信すると（Ｓ２４でＹＥＳ）、曲ファイルの再生を停止し（図８のＳ３２、図６のＳ６２２）、動作状態通知（停止状態）を携帯機器１Ｂ，１Ａに送信する（図８のＳ３３、図６のＳ６２３、Ｓ６２６）。
【００４０】
携帯機器１Ｂは、停止指示を送信した携帯機器１Ｃから停止状態を示す動作状態通知を受信したか否かを判断しており（図７のＳ８）、受信すると（Ｓ８でＹＥＳ）、携帯機器１Ｃからの動作状態通知（停止状態）を状態管理テーブルに登録して更新し（図７のＳ９、図６のＳ６２４）、曲ファイルを再生開始する（図７のＳ１０、図６のＳ６２４）。携帯機器１Ｂは、動作状態通知（再生状態）を携帯機器１Ａ，１Ｃに送信する（図７のＳ１１、図６のＳ６２５）。
【００４１】
以上の処理によって、携帯機器１Ｃが曲ファイルを再生している際に、携帯機器１Ｂにユーザ操作によって再生開始指示が入力されると、携帯機器１Ｃが曲ファイルの再生を停止し、携帯機器１Ｂが曲ファイルを再生開始する。従って、複数の携帯機器１が同時に曲ファイルを再生することを防止できる。
【００４２】
以上、本発明の好ましい実施形態を説明したが、本発明はこれらの実施形態には限定されない。携帯機器は、フラッシュメモリ５を内蔵していなくてもよく、外部から挿入されるメモリカードに記録されたコンテンツを再生するもの、又は、ネットワーク経由でサーバから取得したコンテンツを再生するものでもよい。また、携帯機器は、ＦＭトランスミッタを使用してアンプ装置１１に音声信号を送信するのではなく、無線ＬＡＮ等を介して音声信号を送信してもよい。また、携帯機器自身が、増幅部およびスピーカーを備えており、携帯機器から音声が再生されてもよい。本発明は、上記のコンテンツ再生装置を動作させるためのコンピュータプログラムまたはそのコンピュータプログラムを記録した記録媒体という形態で提供されてもよい。
【産業上の利用可能性】
【００４３】
本発明はコンテンツを再生する携帯機器等に好適に適用され得る。
【符号の説明】
【００４４】
１Ａ〜１Ｃ  携帯機器
２          制御部
３          ＲＡＭ
４          ＲＯＭ
５          フラッシュメモリ
６          再生部
７          ＦＭトランスミッタ
８          通信部
９          表示部
１０        操作部
１１        アンプ装置
【図１】
2010244619.tif 000003
【図２】
2010244619.tif 000004
【図３】
2010244619.tif 000005
【図４】
2010244619.tif 000006
【図５】
2010244619.tif 000007
【図６】
2010244619.tif 000008
【図７】
2010244619.tif 000009
【図８】
2010244619.tif 000010
【図９】
2010244619.tif 000011